(57)【要約】      （修正有）【課題】装飾体やスタンド手段を備えた携帯端末機用カバーケースを提供する。【解決手段】携帯端末機の背面を覆う背板部３と、周面を覆う枠部４を備えたケース本体２を構成し、前記枠部３は、外向きに突出する装飾体１０から成る突出体１１を含んでエラストマーにより一体成形されている。前記背板部３は、剛性を有する合成樹脂製の板により形成され、前記枠部４の背部に固着されており、背板部３の背面に面一状態で格納した格納姿勢と前記接支部１４を背面方向に拡開した展開姿勢との間で回動自在なスタンド手段１５を設けている。【選択図】図３
0003176005.tif 000002
【実用新案登録請求の範囲】
【請求項１】
携帯端末機の背面を覆う背板部(3)と、周面を覆う枠部(4)を備えたケース本体(2)を構成し、
前記枠部(3)は、外向きに突出する装飾体(10)から成る突出体(11)を含んでエラストマーにより一体成形されて成ることを特徴とする携帯端末機用カバーケース。
【請求項２】
前記枠部(4)は、携帯端末機の正面ディスプレイ部を縁取る額縁状の内向きフランジ(9)と、該枠部(4)から外向きに突出された装飾体(10)から成る突出体(11)を備え、前記フランジ(9)及び突出体(11)を含んでエラストマーにより一体成形されて成ることを特徴とする請求項１に記載の携帯端末機用カバーケース。
【請求項３】
４隅にコーナー部を有して携帯端末機の背面を覆う縦長の長方形とされた背板部(3)と、該背板部の周縁に周設され携帯端末機の周面を覆う枠部(4)とによりケース本体(2)を構成し、
前記枠部(4)は、外向きに突出された装飾体(10)から成る突出体(11)を含んでエラストマーにより一体成形され、背板部(3)の一対の長辺と一対の短辺のうち、少なくとも一方の長辺と一方の短辺に対応する枠部(4)の外側面に前記突出体(11)を有しない載置面(12a,12b)を形成し、
前記背板部(3)は、剛性を有する合成樹脂製の板により形成され、枠部(4)の背部に固着されており、
起立姿勢としたケース本体(2)の背板部に沿う垂線Ｖと、該背板部と同一平面上で前記垂線Ｖに傾斜するＸ軸と、前記Ｘ軸に直交して背板部の下部両側の一方のコーナー部に向けて延びるＹ軸に関して、
前記背板部(3)の背面に、前記Ｘ軸を回動軸とするヒンジ部(13)から前記Ｙ軸に沿って延びると共に前記コーナー部に位置する接支部(14)を備えたスタンド手段(15)を設け、該スタンド手段(15)を背板部(3)の背面に面一状態で格納した格納姿勢と前記接支部(14)を背面方向に拡開した展開姿勢との間で回動自在とするように構成して成ることを特徴とする携帯端末機用カバーケース。
【請求項４】
前記スタンド手段(15)は、合成樹脂製の薄板により形成され、前記接支部(14)に前記コーナー部の２辺に合致する第１直線部(14a)と第２直線部(14b)を設け、該スタンド手段(15)を展開姿勢とした状態で、ケース本体の短辺の載置面(12a)を机面に載置して前記第１直線部(14a)を机面に接支させたときケース本体(2)を縦長状態で後傾姿勢に支持し、ケース本体の長辺の載置面(12b)を机面に載置して前記第２直線部(14b)を机面に接支させたときケース本体(2)を横長状態で後傾姿勢に支持するように構成されて成ることを特徴とする請求項３に記載の携帯端末機用カバーケース。
【請求項５】
前記スタンド手段(15)のヒンジ部(13)の両側に軸ピン(17)を突設した枢支部を形成し、
前記背板部(3)の背面に前記スタンド手段(15)を嵌入する格納凹部(16)を形成し、該格納凹部(16)に前記スタンド手段(15)のヒンジ部(13)を受入れ自在とするスリット(18)を形成すると共に、該スリット(18)の両端部に臨んで背板部(3)の正面側から軸受凹部(19)を凹設しており、
前記格納凹部(16)にスタンド手段(15)を嵌入した状態で、前記軸ピン(17)は軸受部材(20)により軸支され、該軸受部材(20)は前記軸受凹部(19)に嵌入固着されて成ることを特徴とする請求項３又は４に記載の携帯端末機用カバーケース。
【考案の詳細な説明】
【技術分野】
【０００１】
本考案は、スマートフォンやタブレットと称される携帯端末機を収容するためのカバーケースに関する。
【背景技術】
【０００２】
従来、スマートフォンを収容するカバーケースが提供されている。
【先行技術文献】
【特許文献】
【０００３】
【特許文献１】登録実用新案第３１６８０９０号公報
【特許文献２】登録実用新案第３１７０６６０号公報
【考案の概要】
【考案が解決しようとする課題】
【０００４】
このような携帯端末機用カバーケースは、携帯端末機の周面と背面を覆う合成樹脂製のケース本体を備えている。ケース本体の正面には、携帯端末機のディスプレイパネルを露出させる窓開口が設けられ、携帯端末機を常時使用可能とした状態で周面及び背面を異物の衝突等による損傷から保護する。
【０００５】
ところで、スマートフォンやタブレット等の携帯端末機は、ディスプレイパネルによりタッチパネルを構成しており、ユーザがパネルを指先でタッチすることにより、インターネットやアプリケーションの起動・操作・終了を行う。
【０００６】
しかしながら、アプリケーションを終了した後、携帯端末機を衣服のポケットやカバン等に収納して保管する際、誤ってパネルのアイコンに指先が触れると、再びインターネットやアプリケーションが起動され、ユーザが知らない間に起動状態が継続され、電力や通話料を浪費するという問題がある。
【０００７】
また、カバーケースは、専ら携帯端末機を保護する機能だけ有しており、ユーザの趣味感を満足させていない。
【０００８】
更に、携帯端末機は、ユーザが手に持って使用するように設計されており、机上に載置して使用するためには、別途、専用のスタンドを購入しなければならない不便がある。
【課題を解決するための手段】
【０００９】
本考案は、ユーザが使用を終えた携帯端末機を保管する際、不慮に指先がタッチパネルに触れないようにするため、タッチパネルから外側に向けて突出する突出体が把手として資するようにしたカバーケースを提供する。この際、突出体は、人気キャラクター等の装飾体を表すことにより、雅趣に富んだものとなる。
【００１０】
そして、このような装飾体から成る突出体をエラストマーによりカバーケースの枠部と一体成形することにより、突出体は、柔軟な弾性を有し、異物の衝突等により破損することがなく、しかも、手触りの良いものとなる。
【００１１】
更に、本考案は、ユーザが携帯端末機を机上に載置した状態で使用できるスタンド手段を備えたカバーケースを提供する。
【００１２】
スタンド手段は、携帯端末機を収容したカバーケースを縦長状態と横長状態の何れの状態でも机上に載置することができ、しかも、携帯端末機のディスプレイパネルを見やすくするように、後傾姿勢で机上に支持することが望ましく、支持の安定性に鑑みると、剛性を有する合成樹脂製の板により形成するのが好ましい。
【００１３】
従って、カバーケースは、エラストマーにより成形された枠部と、剛性を有する合成樹脂製の板により形成された背板部によりケース本体を構成し、背板部にスタンド手段を設け、該スタンド手段を背板部の背面に面一状態で格納した格納姿勢と背面方向に拡開した展開姿勢との間で回動自在とするように構成するのが良く、この際、スタンド手段と背板部の組付けを容易とし、しかも、信頼性の高いヒンジ構造を提供することが必要である。
【００１４】
そこで、上記課題を解決するために、本考案の第１考案が手段として構成したところは、携帯端末機の背面を覆う背板部と、周面を覆う枠部を備えたケース本体を構成し、前記枠部は、外向きに突出する装飾体から成る突出体を含んでエラストマーにより一体成形されて成る点にある。
【００１５】
この際、前記枠部は、携帯端末機の正面ディスプレイ部を縁取る額縁状の内向きフランジと、該枠部から外向きに突出された装飾体から成る突出体を備え、前記フランジ及び突出体を含んでエラストマーにより一体成形することが好ましい。
【００１６】
また、本考案の第２考案が手段として構成したところは、４隅にコーナー部を有して携帯端末機の背面を覆う縦長の長方形とされた背板部と、該背板部の周縁に周設され携帯端末機の周面を覆う枠部とによりケース本体を構成し、前記枠部は、外向きに突出された装飾体から成る突出体を含んでエラストマーにより一体成形され、背板部の一対の長辺と一対の短辺のうち、少なくとも一方の長辺と一方の短辺に対応する枠部の外側面に前記突出体を有しない載置面を形成し、前記背板部は、剛性を有する合成樹脂製の板により形成され、枠部の背部に固着されており、起立姿勢としたケース本体の背板部に沿う垂線Ｖと、該背板部と同一平面上で前記垂線Ｖに傾斜するＸ軸と、前記Ｘ軸に直交して背板部の下部両側の一方のコーナー部に向けて延びるＹ軸に関して、前記背板部の背面に、前記Ｘ軸を回動軸とするヒンジ部から前記Ｙ軸に沿って延びると共に前記コーナー部に位置する接支部を備えたスタンド手段を設け、該スタンド手段を背板部の背面に面一状態で格納した格納姿勢と前記接支部を背面方向に拡開した展開姿勢との間で回動自在とするように構成して成る点にある。
【００１７】
第２考案の好ましい実施形態において、前記スタンド手段は、合成樹脂製の薄板により形成され、前記接支部に前記コーナー部の２辺に合致する第１直線部と第２直線部を設け、該スタンド手段を展開姿勢とした状態で、ケース本体の短辺の載置面を机面に載置して前記第１直線部を机面に接支させたときケース本体を縦長状態で後傾姿勢に支持し、ケース本体の長辺の載置面を机面に載置して前記第２直線部を机面に接支させたときケース本体を横長状態で後傾姿勢に支持するように構成されている。
【００１８】
製造組立を容易とするために、前記スタンド手段のヒンジ部の両側に軸ピンを突設した枢支部を形成し、前記背板部の背面に前記スタンド手段を嵌入する格納凹部を形成し、該格納凹部に前記スタンド手段のヒンジ部を受入れ自在とするスリットを形成すると共に、該スリットの両端部に臨んで背板部の正面側から軸受凹部を凹設しており、前記格納凹部にスタンド手段を嵌入した状態で、前記軸ピンは軸受部材により軸支され、該軸受部材は前記軸受凹部に嵌入固着されている。
【考案の効果】
【００１９】
請求項１に記載の本考案の第１考案によれば、ケース本体２は、携帯端末機の周面を覆う枠部４に外向きに突出する装飾体１０からなる突出体１１を設け、該突出体１１を含んでエラストマーにより一体成形されている。ケース本体２の枠部４は、エラストマーのため、弾性と摩擦抵抗に優れ、携帯端末機の周面に好適にフィットする。そして、携帯端末機をケース本体２に収容した状態で、ユーザが使用を終えた携帯端末機をカバン等に収納し保管する際、突出体１１を把手として把持できるので、指先が携帯端末機のタッチパネルに触れない状態で収納保管作業を行うことが可能になる。しかも、突出体１１は、人気キャラクター等の装飾体１０を表しているので、カバーケース１の雅趣が富んだものとなる。更に、突出体１１は、エラストマーのため、異物の衝突等により破損することがなく、しかも、手触りが良い。
【００２０】
この際、請求項２に記載の技術的構成によれば、携帯端末機の正面のディスプレイ部を縁取る額縁状の内向きフランジ９を枠部４に設けているので、収容された携帯端末機をケース本体２から脱落不能に抱持できる利点があり、この際、内向きフランジ９は、エラストマーのため、弾性変形させることにより携帯端末機を枠部４の内部に容易に収容可能とし、しかも、収納後は好適に弾性復元する。
【００２１】
また、請求項３に記載の本考案の第２考案によれば、突出体１１を含む枠部４をエラストマーにより一体成形し、背板部３を剛性のある合成樹脂製の板により形成し、該背板部３に格納姿勢と展開姿勢との間で回動自在なスタンド手段１５を設けているので、ユーザは、携帯端末機を収容したカバーケース１を机上に載置した状態で使用することが可能となる。この際、枠部４の載置面１２ａ、１２ｂは、エラストマーのため、優れた摩擦抵抗を有しており、机上を滑り遊動することはない。そして、スタンド手段１５は、Ｘ軸を回動軸とするヒンジ部１３からＹ軸に沿って延びると共にコーナー部に位置する接支部１４を備え、該接支部１４を背面方向に拡開するので、ケース本体２を縦長状態と横長状態の何れの状態でも机上に載置することができる。
【００２２】
具体的には、請求項４に記載の技術的構成のようにケース本体２の短辺の載置面１２ａを机面に載置し、第１直線部１４ａを机面に接支させることにより、ケース本体２を縦長状態で後傾姿勢に支持することができ、あるいは、ケース本体２の長辺の載置面１２ｂを机面に載置し、第２直線部１４ｂを机面に接支させることにより、ケース本体２を横長状態で後傾姿勢に支持することができる。
【００２３】
そして、請求項５に記載の技術的構成によれば、合成樹脂製の薄板により形成したスタンド手段１５を背板部３の格納凹部１６に面一状態で格納可能とする構成は、スタンド手段１５のヒンジ部１３をスリット１８に挿通させた状態で、該ヒンジ部１３の軸ピン１７、１７を軸支する軸受部材２０、２０を軸受凹部１９、１９に嵌入固着することにより実現できるので、スタンド手段１５と背板部３の組付けが容易であり、しかも、信頼性の高いヒンジ構造を提供できる。
【図面の簡単な説明】
【００２４】
【図１】本考案の１実施形態に係るカバーケースの正面側を示す斜視図である。
【図２】本考案の１実施形態に係るカバーケースの背面側を示す斜視図である。
【図３】カバーケースを縦長状態で机上に載置した状態を背面側から示す斜視図である。
【図４】カバーケースを横長状態で机上に載置した状態を背面側から示す斜視図である。
【図５】カバーケースの断面を示しており、（Ａ）は図２のＡ−Ａ線断面図、（Ｂ）はＤ部の拡大図、（Ｃ）は図２のＢ−Ｂ線断面図である。
【図６】背板部とスタンド手段を分解状態で背面側から示す斜視図である。
【図７】背板部とスタンド手段を分解状態で正面側から示す斜視図である。
【図８】図２のＣ−Ｃ線断面拡大図である。
【考案を実施するための形態】
【００２５】
以下図面に基づいて本考案の好ましい実施形態を詳述する。
【００２６】
図１及び図２に示すように、携帯端末機用カバーケース１は、携帯端末機（図示省略）の背面を覆うように４隅のコーナー部を有する縦長の長方形とされた背板部３と、該背板部３の周縁に周設されることにより携帯端末機の周面を覆う枠部４とにより、ケース本体２を構成している。背板部３は、剛性を有する合成樹脂製、例えば、ポリカーボネート等により成形された板により形成され、枠部４は、エラストマー、例えば、シリコンゴム等の軟質合成弾性材により成形されている。尚、本明細書において、ケース本体２に収容される携帯端末機のディスプレイ部の側を「正面」と称し、該携帯端末機の背部の側を「背面」と称する。
【００２７】
図５（Ａ）（Ｂ）に示すように、背板部３と枠部４は、背板部３の外周に突設した周条５を枠部４の内周に形成した周溝６に嵌入状態で結合し、周条５の背面側に枠部４の肉部７が背板部３の背面と面一となるように接合し、周条５の正面側に枠部４の内向きシート状部８を接合している。このような結合及び接合は、個別に成形した背板部３と枠部４を嵌着すると共に接着剤で固着しても良いが、予め成形した背板部３を金型に挿入した状態でエラストマーを金型に充填することにより枠部４を成形するインサート成形により行うことが好ましい。
【００２８】
前記枠部４は、図１に示すように、携帯端末機のディスプレイ部を縁取る額縁状の内向きフランジ９と、該枠部４から外向きに突出された装飾体１０から成る突出体１１を備えており、前記エラストマーにより一体成形されている。
【００２９】
従って、枠部４は、エラストマーのため、弾性と摩擦抵抗に優れ、携帯端末機の周面に好適にフィットする。そして、携帯端末機をケース本体２に収容した状態で、ユーザが使用を終えた携帯端末機をカバン等に収納し保管する際、突出体１１を把手として把持できるので、指先が携帯端末機のタッチパネルに触れない状態で作業を行うことができる。この際、突出体１１は、装飾体１０に人気キャラクター等を表すことにより、カバーケース１を雅趣に富んだものにすることができる。しかも、突出体１１は、エラストマーのため、異物の衝突等により破損することがなく、手触りも良い。
【００３０】
また、携帯端末機の正面のディスプレイ部を縁取る額縁状の内向きフランジ９が枠部４に設けられているので、収容された携帯端末機をケース本体２から脱落不能に抱持することができる。この際、内向きフランジ９は、エラストマーのため、弾性変形により携帯端末機を枠部４の内部に容易に収容させることができ、しかも、収納後は好適に弾性復元する。尚、図示のように、枠部４の所望の個所には、収容した携帯端末機の操作部やコネクタソケットに対応する押しボタンや操作孔を任意に形成することができる。
【００３１】
前記装飾体１０から成る突出体１１は、縦長の長方形とされた背板部３の相互に対向する一対の長辺と一対の短辺のうち、少なくとも一方の長辺と一方の短辺に対応する枠部４の外側面には設けられていない。従って、枠部４の外側面は、少なくとも前記短辺に対応する第１載置面１２ａと、前記長辺に対応する第２載置面１２ｂを構成する。図例の場合、突出体１１を縦長とされた枠部４の上部にのみ設けており、これにより、枠部４の下側の外側面により１つの第１載置面１２ａが形成され、枠部４の左右両側の外側面により一対の第２載置面１２ｂが形成されている。
【００３２】
図２に示すように、起立姿勢としたケース本体２の背板部３に沿う垂線Ｖと、該背板部３と同一平面上で前記垂線Ｖに傾斜するＸ軸と、前記Ｘ軸に直交して背板部３の下部両側の一方のコーナー部に向けて延びるＹ軸に関して、前記背板部３の背面には、前記Ｘ軸を回動軸とするヒンジ部１３から前記Ｙ軸に沿って延びると共に前記コーナー部に位置する接支部１４を備えたスタンド手段１５が設けられている。スタンド手段１５は、前記ヒンジ部１３により、背板部３の背面に面一状態で格納された格納姿勢（図２に実線で示す状態）と前記接支部１４を背面方向に拡開した展開姿勢（図２に鎖線で示す状態）との間で回動自在である。前記接支部１４は、前記コーナー部の２辺に合致する第１直線部１４ａと第２直線部１４ｂを設けており、スタンド手段１５を格納姿勢とした状態で、第１直線部１４ａは前記第１載置面１２ａに合致し、第２直線部１４ｂは前記第２載置面１２ｂに合致する。
【００３３】
前記スタンド手段１５は、剛性を有する合成樹脂製、例えば、ポリカーボネート等により成形された薄板により形成され、背板部３の背面に形成された格納凹部１６（図３及び図４参照）に嵌入することにより、該背板部３の背面と面一状態で格納される。
【００３４】
図６及び図７に示すように、前記スタンド手段１５は、ヒンジ部１３を構成する基部の両側に軸ピン１７、１７を突設することにより枢支部を構成している。軸ピン１７、１７は、１本の鋼線を前記基部に貫通して固着させることにより構成しても良く、あるいは、一対の鋼線を基部の両側に挿入して固着しても良い。
【００３５】
前記格納凹部１６にはスタンド手段１５の前記基部を受入れ自在とするスリット１８が開設され、該スリット１８の両端部に臨んで背板部３の正面側から軸受凹部１９、１９が凹設されており、該軸受凹部１９、１９に軸受部材２０、２０が嵌入される。
【００３６】
従って、スタンド手段１５を背板部３に回動自在に組付ける際、格納凹部１６からスタンド手段１５のヒンジ部１３をスリット１８に挿通させ、背板部３の正面側に挿出されたヒンジ部１３の両端の軸ピン１７、１７に軸受部材２０、２０を回動自在に外挿し、該軸受部材２０、２０を前記軸受凹部１９、１９に嵌入すると共に接着剤等により固着すれば良い。
【００３７】
これにより、格納凹部１６に嵌入されたスタンド手段１５は、軸受凹部１９に嵌入固着された軸受部材２０に軸ピン１７が軸支されており、図５（Ｃ）に実線で示す格納姿勢と鎖線で示す展開姿勢との間で回動自在とされる。尚、格納姿勢と展開姿勢の間の拡開角度は約６０度とするのが良く、スタンド手段１５の基部のヒンジ部１３がスリット１８の縁に当接することにより、展開姿勢を保持するストッパーとして機能する。
【００３８】
スタンド手段１５の背面には、ユーザの指先の爪を係止可能とする溝等から成る係止手段１５ａが設けられており、これにより格納姿勢から展開姿勢に向けて格納凹部１６から引き出すことができる。尚、図示省略しているが、スタンド手段１５を格納凹部１６に嵌入した状態で、該スタンド手段１５を格納姿勢状態で摩擦保持する凹凸嵌合等による保持手段を設けることが好ましい。
【００３９】
上記構成によれば、携帯端末機を収容したカバーケース１は、ユーザが机上に載置した状態で使用することができる。スタンド手段１５を展開姿勢とした状態で、カバーケース１を縦長状態で机上に載置したとき、図３に示すように、枠部４の第１載置面１２ａが机上に載置されると共に、スタンド手段１５の第１直線部１４ａが机面に接支され、携帯端末機と共にカバーケース１を後傾姿勢で支持する。カバーケース１を横長状態で机上に載置したとき、図４に示すように、枠部４の第２載置面１２ｂが机上に載置されると共に、スタンド手段１５の第２直線部１４ｂが机面に接支され、携帯端末機と共にカバーケース１を後傾姿勢で支持する。何れの場合も、携帯端末機は、ユーザがディスプレイパネルを見やすくするように後傾姿勢で机上に支持される。
【００４０】
机上に載置される枠部４の第１載置面１２ａ及び第２載置面１２ｂは、エラストマーのため、優れた摩擦抵抗を有し、机上を滑って遊動することがなく、前述の後傾姿勢とされた起立状態を保持する。そして、スタンド手段１５は、接支部１４に第１載置面１２ａ及び第２載置面１２ｂに対応する第１直線部１４ａ及び第２直線部１４ｂを設けているので、ケース本体２を縦長状態と横長状態の何れの状態で机上に載置した場合も、後傾姿勢の状態を好適に支持する。
【００４１】
しかも、ユーザがカバーケース１に収容された携帯端末機を手にとって使用する場合や保管・運搬の際には、スタンド手段１５を背板部３の背面に面一状態となるように格納できるので、該スタンド手段１５が邪魔になることはない。
【００４２】
そして、背板部３及びスタンド手段１５は、ポリカーボネート等の剛性を有する合成樹脂により形成されているので、堅牢であり、スタンド手段１５を薄板により形成する構成でありながら、上述のようなスリット１８の両側の軸受凹部１９、１９に、軸ピン１７、１７を軸支した軸受部材２０、２０を嵌入固着する構成であるから、スタンド手段１５と背板部３の組付けが容易であると共に、信頼性の高いヒンジ構造部を提供することができる。
【符号の説明】
【００４３】
１  携帯端末機用カバーケース
２  ケース本体
３  背板部
４  枠部
５  周条
６  周溝
７  肉部
８  シート状部
９  内向きフランジ
１０  装飾体
１１  突出体
１２ａ  第１載置面
１２ｂ  第２載置面
１３  ヒンジ部
１４  接支部
１４ａ  第１直線部
１４ｂ  第２直線部
１５  スタンド手段
１５ａ  係止手段
１６  格納凹部
１７  軸ピン
１８  スリット
１９  軸受凹部
２０  軸受部材
【図１】
0003176005.tif 000003
【図２】
0003176005.tif 000004
【図３】
0003176005.tif 000005
【図４】
0003176005.tif 000006
【図５】
0003176005.tif 000007
【図６】
0003176005.tif 000008
【図７】
0003176005.tif 000009
【図８】
0003176005.tif 000010